(57)【要約】【課題】画像通信を行うテレビ電話システムにおける操作の円滑化を図ることができ、利用者による操作の手間を大幅に軽減することができる携帯通信端末を提供する。【解決手段】呼出しがあると、ＣＰＵ４３の情報識別部４３ａは、着呼情報にヘッダとして付加された種別情報から、音声情報，文字情報，音声情報＋画像情報の種別を識別するとともにモニターからなる表示部に種別を表示する。種別が音声情報または文字情報の場合には、利用者の回線接続により対応の電話機能またはデータ通信機能を実行するためのアプリケーションを起動する。音声情報＋画像情報の場合には回線接続した後、対応のテレビ電話機能を実行するためのアプリケーションを起動する。【選択図】図４
2006262508.tif 000002
【特許請求の範囲】
【請求項１】
電話機能またはデータ通信機能を有し、かつ撮像素子からなるカメラ及び画像を表示する表示手段が一体化されてテレビ電話機能が付加された携帯通信端末であって、
着呼情報に付加された種別情報から、送られてくる情報が音声情報または画像情報＋音声情報のいずれかであるかを識別する情報識別手段と、
少なくとも電話機能を実行するためのアプリケーションと、テレビ電話機能を実行するためのアプリケーションと、を含む複数のアプリケーションプログラムを格納する登録手段と、
前記情報識別手段で識別した種別情報に基づき、その種別情報に対応した前記電話機能を実行するためのアプリケーションまたは前記テレビ電話機能を実行するためのアプリケーションを起動する制御手段と、
を有することを特徴とする携帯通信端末。
【請求項２】
前記着呼情報の受信時における回線接続前に、前記表示手段または音声出力手段によって前記種別情報の内容を可視または可聴表示することを特徴とする請求項１記載の携帯通信端末。
【請求項３】
撮像素子を有する着脱式画像撮影アダプタを、画像を表示する表示手段が設けられ、電話機能またはデータ通信機能を有する携帯通信端末に装着することにより、テレビ電話機能が付加される携帯通信端末であって、
着呼情報に付加された種別情報から、送られてくる情報が音声情報あるいは画像情報＋音声情報のいずれかであるかを識別する情報識別手段と、
少なくとも電話機能を実行するためのアプリケーションと、テレビ電話機能を実行するためのアプリケーションと、を含む複数のアプリケーションプログラムを格納する登録手段と、
前記情報識別手段で識別した種別情報に基づき、その種別情報に対応した前記電話機能を実行するためのアプリケーションまたは前記テレビ電話機能を実行するためのアプリケーションを起動する制御手段と、
を有することを特徴とする携帯通信端末。
【請求項４】
前記着呼情報の受信時における回線接続前に、前記表示手段または音声出力手段によって前記種別情報の内容を可視または可聴表示することを特徴とする請求項３記載の携帯通信端末。
【発明の詳細な説明】
【技術分野】
【０００１】
本発明は、電話機能およびデータ通信機能を有する携帯通信端末に、テレビ電話機能が付加されたテレビ電話システムに関するものである。
【背景技術】
【０００２】
データの高速伝送が可能なＰＤＣ（Ｐｅｒｓｏｎａｌ  Ｄｉｇｉｔａｌ  Ｃｅｌｌｕｌａｒ）、ＣＤＭＡ（Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）やＰＨＳ（Ｐｅｒｓｏｎａｌ  Ｈａｎｄｙ−ｐｈｏｎｅ  Ｓｙｓｔｅｍ）、さらには、次世代の技術として開発されているＷＣＤＭＡ（Ｗｉｄｅ  ｂａｎｄ  ＣＤＭＡ）、ＣＤＭＡ２０００等の通信手段を用いた電話機能およびデータ通信機能を有する携帯通信端末にテレビ電話機能を付加させてテレビ電話システムを実現する場合、操作性が良好であることが要請される。
これは、例えば、電話の着信を受けた場合には、携帯通信端末を顔に近づけて通話することになり、また、テレビ電話として着信した場合には、顔から一定距離おいて表示部に映し出される相手の顔を見ながら通話することとなるからである。
【発明の開示】
【発明が解決しようとする課題】
【０００３】
しかしながら、上記のように、携帯通信端末にテレビ電話機能を付加させた場合、着信があった際に、その着信がどのような種別の着信であるかがわからず、これにより、電話の着信での操作あるいはテレビ電話としての着信の操作を円滑に行うことが困難である。つまり、利用者が上記操作を円滑にするためには、着信があった場合、どの様な種別の着信であるか予め知ることが必要である。また、利用者は、どのような種別の着信かを確認した上で、そのモードの機能を起動させなければならない。
【課題を解決するための手段】
【０００４】
本発明の携帯通信端末を用いたテレビ電話システムは、電話機能またはデータ通信機能を有し、かつ撮像素子からなるカメラ及び画像を表示する表示手段が一体化されてテレビ電話機能が付加された携帯通信端末を用いたテレビ電話システムであって、着呼情報に予めヘッダとして付加された種別情報から、送られてくる情報が音声情報，文字情報または画像情報＋音声情報のいずれかであるかを識別する情報識別手段と、少なくともテレビ電話機能を実行するためのアプリケーションプログラムを含む複数のアプリケーションプログラムを格納する登録手段と、前記情報識別手段で識別した種別情報に基づき、その種別情報に対応したアプリケーションプログラムを起動する制御手段とを有するものである。
【０００５】
そして、この携帯通信端末を用いたテレビ電話システムによれば、着信時に、着呼情報のヘッダとして付加された種別情報に対応したアプリケーションが制御手段によって起動されるので、種別に応じてモードの機能を起動させるような操作を不要とすることができる。これにより、画像通信を行うテレビ電話システムにおける操作の円滑化を図ることができ、利用者による操作の手間を大幅に軽減することができる。
【０００６】
また、本発明の携帯通信端末を用いたテレビ電話システムは、撮像素子を有する着脱式画像撮影アダプタを、画像を表示する表示手段が設けられ、電話機能またはデータ通信機能を有する携帯通信端末に装着することにより、テレビ電話機能が付加される携帯通信端末を用いたテレビ電話システムであって、着呼情報に予めヘッダとして付加された種別情報から、送られてくる情報が音声情報，文字情報ならびに画像情報＋音声情報のいずれかであるかを識別する情報識別手段と、少なくともテレビ電話機能を実行するためのアプリケーションプログラムを含む複数のアプリケーションプログラムを格納する登録手段と、前記情報識別手段で識別した種別情報に基づき、その種別情報に対応したアプリケーションプログラムを起動する制御手段とを有するものである。
【０００７】
そして、この携帯通信端末を用いたテレビ電話システムによれば、携帯通信端末に、着脱式画像撮影アダプタを装着することによりテレビ電話機能が付加された状態にて、着信時に、着呼情報のヘッダとして付加された種別情報に対応したアプリケーションが制御手段によって起動されるので、種別に応じてモードの機能を起動させるような操作を不要とすることができる。これにより、画像通信を行うテレビ電話システムにおける操作の円滑化を図ることができ、利用者による操作の手間を大幅に軽減することができる。
【０００８】
また、本発明の着脱式画像撮影アダプタは、画像を表示する表示手段が設けられた電話機能またはデータ通信機能を有する携帯通信端末へ装着されて、前記携帯通信端末にテレビ電話機能を付加させる撮像素子を有するものである。そして、この着脱式画像撮影アダプタによれば、携帯通信端末として、通信手段を備えたパーソナルコンピュータ等の通信端末に装着するだけで、極めて容易に、携帯通信端末にテレビ電話機能を付加させることができる。これにより、汎用性に優れたアダプタとして、各種の携帯通信端末へ容易に装着して用いることができる。
【発明の効果】
【０００９】
本発明にかかる携帯通信端末を用いたテレビ電話システムによれば、着信時に、着呼情報のヘッダとして付加された種別情報に対応したアプリケーションが制御手段によって起動されるので、種別に応じてモードの機能を起動させるような操作を不要とすることができる。これにより、画像通信を行うテレビ電話システムにおける操作の円滑化を図ることができ、利用者による操作の手間を大幅に軽減することができる。
【００１０】
また、着脱式画像撮影アダプタを装着することによりテレビ電話機能が付加された状態にて、着信時に、着呼情報のヘッダとして付加された種別情報に対応したアプリケーションが起動されるので、種別に応じてモードの機能を起動させるような操作を不要とすることができる。これにより、画像通信を行うテレビ電話システムにおける操作の円滑化を図ることができ、利用者による操作の手間を大幅に軽減することができる。
【発明を実施するための最良の形態】
【００１１】
以下、図面を参照して本発明のテレビ電話システムの実施の形態を詳しく説明する。
図１は本発明によるテレビ電話機能を有する携帯通信端末の外観を説明するための正面図であり、図２及び図３は、テレビ電話機能を有する携帯通信端末の外観を説明するそれぞれ側面図である。
【００１２】
図１から図３に示すように、携帯通信端末２０には、その端末本体２０ａの正面に、カラー液晶板からなるモニター２１が設けられている。このモニター２１には、電話番号、電界ピクトなど携帯電話装置における通信機能情報及び画像情報の両方あるいはいずれか一方が表示されるようになっている。そして、このモニター２１からなる表示部が、各種表示を行う表示手段とされている。
【００１３】
端末本体２０ａには、その上部における正面側に、後述する撮像素子３６を有するカメラ２２が設けられており、このカメラ２２によって画像が撮影されるようになっている。また、モニター２１の下方側には、操作用の複数のキー２３が設けられており、これらキー２３を押下することにより、各種の操作を行うことができるようになっている。また、操作用のキー２３は、端末本体２０ａの一側部にも設けられている。
端末本体２０ａには、その上部におけるカメラ２２の側部に音声出力手段としてのスピーカ２５が設けられ、下方には、マイク２６が設けられており、マイク２６によって音声入力が行われ、スピーカ２５から相手方の音声、着信音、アラーム等が発せられるようになっている。また、端末本体２０ａの上端には、伸縮可能なアンテナ２７が設けられており、内蔵された後述するＲＦ部４８が、アンテナ２７を介して画像データ及び音声データの通信を行うようになっている。
【００１４】
さらに、端末本体２０ａの他側部には、コンセント等のＡＣ電源に、アダプタを介して接続される外部電源接続部２８及びイヤホーン等が接続される外部音声出力部２９が設けられている。
また、端末本体２０ａには、その裏面側に、バッテリーが収納された収納部に着脱される電池蓋２４が設けられており、この電池蓋２４には、所定角度の範囲内にて回動可能に連結されたスタンド２４ａが設けられている。そして、このスタンド２４ａを角度を広げる方向に回動させることにより、端末本体２０が設置面に対して傾斜した状態に支持されるようになっている。
【００１５】
次に、上記テレビ電話機能を有する簡易形情報端末２０の機能を図４に示すブロック図によって説明する。
図に示すように、この簡易形情報端末２０は、結像された被写体像を電気信号（画素信号）に変換するカメラ２２を構成する撮像素子３６、撮像素子３６の出力をディジタル信号に変換するＡ／Ｄ変換器３７、Ａ／Ｄ変換器３７の出力をディザ画像データに変換するディザ画像処理部３９および音声処理部４０を含む処理部３８、ＰＨＳ等の通信手段を用いた電話機能およびデータ通信機能の制御を司る制御手段であるＣＰＵ４３、電話機能を実行するための第１のアプリケーションプログラム，データ通信機能を実行するための第２のアプリケーションプログラムおよびテレビ電話機能を実行するための第３のアプリケーションプログラムを格納する登録手段であるアプリケーション登録部４４、データ通信により送受信する文字などのデータや画像データを格納するメモリ部４５、発着呼情報，文字，制御内容を表示したり，画像を表示したりする前記モニター２１からなる表示部を駆動させる表示駆動回路４６、電話やデータ通信のため、さらに画像の撮影，再生表示，転送のための操作用のキー２３からなる操作部とＣＰＵ４３とを接続するキー入力インタフェース部４７、ＰＨＳ回線を用いて相手端末と電話，データ通信するための、アンテナ２７が接続されたＲＦ部４８を含んで構成されている。
ＣＰＵ４３は、送信されてきた着呼情報にヘッダとして付加されている種別情報を識別する機能を有する情報識別手段として情報識別部４３ａが設けられている。
【００１６】
次に、上記構成、機能のテレビ電話機能が付加された携帯通信端末の着信時の動作および操作を図５に示すフローチャートに沿って説明する。
携帯通信端末２０がアンテナ２７、ＲＦ部４８を介して呼出情報を受信する（ステップ（以下、「Ｓ」という）３０１）。
ＣＰＵ４３は自己に対する呼出であると判断すると、呼出しを行うとともに情報識別部４３ａによって着呼情報にヘッダとして付加されている種別情報を識別する（Ｓ３０２）。
【００１７】
そして表示駆動回路４６を駆動して表示部であるモニター２１に電話通話，データ通信またはテレビ電話の着信の種別を表示する（Ｓ３０３）。利用者は、表示によってどの種別の着信かを知ることができるので、応答する場合、その種別に適合した扱いをすることができる。
利用者がキー２３の内の通信キーを押して応答すると（Ｓ３０４，Ｓ３０８またはＳ３０６）、種別が音声情報の場合にはＣＰＵ４３は、アプリケーション登録部４４より通話用のアプリケーションを起動する（Ｓ３０５）。
【００１８】
また、文字情報の場合にはデータ通信用のアプリケーションを起動する（Ｓ３０７）。これにより電話通話またはデータ受信の操作を円滑にすることができる。
さらに、種別が、音声情報＋画像情報の場合にはＣＰＵ４３は、アプリケーション登録部４４よりテレビ電話用のアプリケーションを起動する（Ｓ３０９）。このように、各種別情報に対応したアプリケーションが起動した後は、利用者はそれぞれの操作を円滑にすることができる。
【００１９】
そして、この携帯通信端末２０を用いたテレビ電話システムによれば、着信時に、着呼情報のヘッダとして付加された種別情報に対応したアプリケーションがＣＰＵ４３によって起動されるので、種別に応じてモードの機能を起動させるような操作を不要とすることができる。これにより、画像通信を行うテレビ電話システムにおける操作の円滑化を図ることができ、利用者による操作の手間を大幅に軽減することができる。
【００２０】
なお、上記の実施の形態では、携帯通信端末２０のモニター２１に可視表示する例について説明したが、種別表示は可聴音により認識させることができる。例えば、呼出音の音色や発生パターンを電話通話，データ通信またはテレビ電話毎に対応づけることができる。
【００２１】
また、上記の例では、テレビ電話機能を付加させた携帯通信端末２０として、モニター２１およびカメラ２２が一体化されたものについて説明したが、携帯通信端末に、テレビ電話機能を付加させるための別体のユニットを装着させても良い。
【００２２】
ここで、このタイプの携帯通信端末の例を説明する。
図６は、携帯通信端末の外観を説明するための図であり、（ａ）は着脱式画像撮影アダプタの外観斜視図、（ｂ）は携帯通信端末に一体に着脱式画像撮影アダプタを装着してなるテレビ電話システムの外観斜視図である。
【００２３】
図６に示すように、この携帯通信端末５１に装着される着脱式画像撮影アダプタ５２は、ＰＣカードスロット部５６の上部に被写体像を取り込むためのカメラユニット５４が設けられている。カメラユニット５４は支持部５５によって回動可能に取り付けられ、矢印方向に撮影方向を変えることができる。ＰＣカードスロット部５６部分には電子回路が内蔵され、その下端部には電池収納部５３が設けられている。
【００２４】
一方、ＰＨＳ等の通信手段を用いた電話機能およびデータ通信機能を有する携帯通信端末５１は、前述と同様に、表示部であるモニター５７、スピーカ６３、アンテナ６０などが設けられている上部フリップと、通話キー５８や装着意志決定手段である装着意思決定キー５９が配置されているファンクションキー，テンキー，選択キーを含む操作用のキーからなる操作部、マイク６１、電源スイッチ６２などが設けられている下部フリップより構成され、２つ折りに畳むことができる。
そして、この携帯通信端末５１の下部フリップ下端に設けられているスロット接続端子に、着脱式画像撮影アダプタ５２のＰＣカードスロット部５６を装着してテレビ電話システムが構成される。
【００２５】
上記のように着脱式画像撮影アダプタ５２を携帯通信端末５１へ装着させる構造のテレビ電話システムでは、図７に示すように、着脱式画像撮影アダプタ５２側に、前述したＰＣカードスロット部５６が設けられ、また、携帯通信端末５１側に、スロット接続端子６４が設けられている。
そして、携帯通信端末５１の下部フリップに着脱式画像撮影アダプタ５２のＰＣカードスロット部５６を装着することにより、着脱式画像撮影アダプタ５２のＰＣカードスロット部５６と携帯通信端末５１のスロット接続端子６４とが互いに接続されて、着脱式画像撮影アダプタ５２の処理部３８と携帯通信端末５１のＣＰＵ４３との信号のやり取りが行われるようになっている。
また、携帯通信端末５１には、そのＣＰＵ４３に、着脱式画像撮影アダプタ５２が装着されているか否かを検出する機能を有する装着状態検出手段として装着状態検出部４３ｂが設けられている。
【００２６】
そして、このタイプのテレビ電話システムでは、図８に示すように、種別情報の種別が音声情報＋画像情報の場合、Ｓ３０８以降に、前述した一体型の携帯通信端末２０を用いた場合と異なる処理が行われる。つまり、音声情報＋画像情報の場合には、ＣＰＵ４３は装着状態検出部４３ｂによって着脱式画像撮影アダプタ５２が装着されているか否かを判断する（Ｓ３１０）。
この判断の結果、当初から装着されている場合にはアプリケーション登録部４４よりテレビ電話用のアプリケーションを起動する（Ｓ３１１）。
一方、着脱式画像撮影アダプタ２が装着されていない場合には、装着を促すメッセージを可視または可聴表示し、利用者が装着の意思があるか否かを判断することとなる（Ｓ３１２）。
【００２７】
利用者が装着意思決定キー５９を操作して装着しないことを意思決定すると、回線は切断される（Ｓ３１３）。装着することを意思決定した場合には、ＣＰＵ４３は、装着のために所定時間待機して猶予を与えるとともに相手端末に対し装着準備中である旨の情報を送出する。そして、再度装着状態検出部４３ｂによって装着されたか否かを監視する（Ｓ３１０）。
上記猶予の所定時間が経過したときには回線は切断される。なお、利用者が装着意思決定キー５９が何ら操作されなかったときにも所定時間経過後に回線は切断される。
着脱式画像撮影アダプタ５２が装着された場合には当初から装着されていた場合と同様、アプリケーション登録部４４よりテレビ電話用のアプリケーションを起動する（Ｓ３１１）。
【００２８】
そして、この携帯通信端末５１を用いたテレビ電話システムによれば、携帯通信端末５１に、着脱式画像撮影アダプタ５２を装着することによりテレビ電話機能が付加された状態にて、着信時に、着呼情報のヘッダとして付加された種別情報に対応したアプリケーションがＣＰＵ４３によって起動されるので、種別に応じてモードの機能を起動させるような操作を不要とすることができる。これにより、画像通信を行うテレビ電話システムにおける操作の円滑化を図ることができ、利用者による操作の手間を大幅に軽減することができる。
【００２９】
また、着脱式画像撮影アダプタ５２は、携帯通信端末５１に装着するだけで、極めて容易に、携帯通信端末５１にテレビ電話機能を付加させることができる。これにより、汎用性に優れたアダプタとして、各種の携帯通信端末へ容易に装着して用いることができる。また、携帯通信端末として、通信手段を備えたパーソナルコンピュータ等の通信端末にも極めて容易に装着してテレビ電話機能を付加させることができる。
【００３０】
なお、上記の例では、ＰＨＳの通信手段を例にとって説明したが、通信手段としては、ＰＨＳに限定されることなく、ＰＤＣ、ＣＤＭＡ、ＧＳＭ、さらには、ＷＣＤＭＡ、ＣＤＭＡ２０００等のあらゆる通信手段に適応することができる。
【図面の簡単な説明】
【００３１】
【図１】本発明の携帯通信端末を用いたテレビ電話システムを説明するテレビ電話機能を有する携帯通信端末の外観正面図である。
【図２】本発明の携帯通信端末を用いたテレビ電話システムを説明するテレビ電話機能を有する携帯通信端末の外観側面図である。
【図３】本発明の携帯通信端末を用いたテレビ電話システムを説明するテレビ電話機能を有する携帯通信端末の外観側面図である。
【図４】本発明の携帯通信端末を用いたテレビ電話システムの機能を示すブロック図である。
【図５】本発明の携帯通信端末を用いたテレビ電話システムの着信時の動作および操作を説明するフローチャート図である。
【図６】本発明の他の携帯通信端末を用いたテレビ電話システムを説明する簡易形情報端末の外観図であり、（ａ）は着脱式画像撮影アダプタの外観斜視図、（ｂ）は着脱式画像撮影アダプタが一体に装着された携帯通信端末の外観斜視図である。
【図７】本発明の他の携帯通信端末を用いたテレビ電話システムの機能を示すブロック図である。
【図８】本発明の他の携帯通信端末を用いたテレビ電話システムの着信時の動作および操作を説明するフローチャート図である。
【符号の説明】
【００３２】
２０…携帯通信端末
２１…モニター
２２…カメラ
２５…スピーカ
２９…外部音声出力部
３６…撮像素子
３８…処理部
３９…ディザ画像処理部
４０…音声処理部
４３…ＣＰＵ
４３ａ…情報識別部
４３ｂ…装着状態検出部
４４…アプリケーション登録部
４５…メモリ部
５１…携帯通信端末
５４…カメラユニット
５７…モニター
６３…スピーカ
【図１】
2006262508.tif 000003
【図２】
2006262508.tif 000004
【図３】
2006262508.tif 000005
【図４】
2006262508.tif 000006
【図５】
2006262508.tif 000007
【図６】
2006262508.tif 000008
【図７】
2006262508.tif 000009
【図８】
2006262508.tif 000010
【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
電話機能またはデータ通信機能を有し、かつ撮像素子からなるカメラ及び画像を表示する表示手段が一体化されてテレビ電話機能が付加された携帯通信端末であって、
少なくとも電話機能を実行するためのアプリケーションと、テレビ電話機能を実行するためのアプリケーションと、を含む複数のアプリケーションプログラムを格納する登録手段と、
自己に対する呼出を判断すると、該呼出に含まれる種別情報に基づき、その種別情報に対応した前記電話機能を実行するためのアプリケーションまたは前記テレビ電話機能を実行するためのアプリケーションを識別し、当該識別したアプリケーションを起動する制御手段と、
を有することを特徴とする携帯通信端末。
【請求項２】
前記着呼情報の受信時における回線接続前に、前記表示手段または音声出力手段によって前記種別情報の内容を可視または可聴表示することを特徴とする請求項１記載の携帯通信端末。
【請求項３】
前記テレビ電話機能を実行するためのアプリケーションは、前記電話機能を実行するためのアプリケーションと異なることを特徴とする請求項１記載の携帯通信端末。
【請求項４】
前記制御手段は、操作手段が操作されて、前記呼出に応答する際に、前記識別したアプリケーションを起動することを特徴とする請求項１記載の携帯通信端末。
【請求項５】
撮像素子を有する着脱式画像撮影アダプタを、画像を表示する表示手段が設けられ、電話機能またはデータ通信機能を有する携帯通信端末に装着することにより、テレビ電話機能が付加される携帯通信端末であって、
少なくとも電話機能を実行するためのアプリケーションと、テレビ電話機能を実行するためのアプリケーションと、を含む複数のアプリケーションプログラムを格納する登録手段と、
自己に対する呼出を判断すると、該呼出に含まれる種別情報に基づき、その種別情報に対応した前記電話機能を実行するためのアプリケーションまたは前記テレビ電話機能を実行するためのアプリケーションを識別し、当該識別したアプリケーションを起動する制御手段と、
を有することを特徴とする携帯通信端末。
【請求項６】
前記着呼情報の受信時における回線接続前に、前記表示手段または音声出力手段によって前記種別情報の内容を可視または可聴表示することを特徴とする請求項５記載の携帯通信端末。
【請求項７】
前記テレビ電話機能を実行するためのアプリケーションは、前記電話機能を実行するためのアプリケーションと異なることを特徴とする請求項５記載の携帯通信端末。
【請求項８】
前記制御手段は、操作手段が操作されて、前記呼出に応答する際に、前記識別したアプリケーションを起動することを特徴とする請求項５記載の携帯通信端末。
【手続補正２】
【補正対象書類名】明細書
【補正対象項目名】０００４
【補正方法】変更
【補正の内容】
【０００４】
本発明は、電話機能またはデータ通信機能を有し、かつ撮像素子からなるカメラ及び画像を表示する表示手段が一体化されてテレビ電話機能が付加された携帯通信端末であって、少なくとも電話機能を実行するためのアプリケーションと、テレビ電話機能を実行するためのアプリケーションと、を含む複数のアプリケーションプログラムを格納する登録手段と、自己に対する呼出を判断すると、該呼出に含まれる種別情報に基づき、その種別情報に対応した前記電話機能を実行するためのアプリケーションまたは前記テレビ電話機能を実行するためのアプリケーションを識別し、当該識別したアプリケーションを起動する制御手段と、を有することを特徴とする。
また、前記着呼情報の受信時における回線接続前に、前記表示手段または音声出力手段によって前記種別情報の内容を可視または可聴表示することを特徴とする。
また、前記テレビ電話機能を実行するためのアプリケーションは、前記電話機能を実行するためのアプリケーションと異なることを特徴とする。
前記制御手段は、操作手段が操作されて、前記呼出に応答する際に、前記識別したアプリケーションを起動することを特徴とする。
【手続補正３】
【補正対象書類名】明細書
【補正対象項目名】０００５
【補正方法】変更
【補正の内容】
【０００５】
そして、この携帯通信端末によれば、着信時に、着呼情報のヘッダとして付加された種別情報に対応したアプリケーションが制御手段によって起動されるので、種別に応じてモードの機能を起動させるような操作を不要とすることができる。
これにより、画像通信を行うテレビ電話システムにおける操作の円滑化を図ることができ、利用者による操作の手間を大幅に軽減することができる。
【手続補正４】
【補正対象書類名】明細書
【補正対象項目名】０００６
【補正方法】変更
【補正の内容】
【０００６】
本発明は、撮像素子を有する着脱式画像撮影アダプタを、画像を表示する表示手段が設けられ、電話機能またはデータ通信機能を有する携帯通信端末に装着することにより、テレビ電話機能が付加される携帯通信端末であって、少なくとも電話機能を実行するためのアプリケーションと、テレビ電話機能を実行するためのアプリケーションと、を含む複数のアプリケーションプログラムを格納する登録手段と、自己に対する呼出を判断すると、該呼出に含まれる種別情報に基づき、その種別情報に対応した前記電話機能を実行するためのアプリケーションまたは前記テレビ電話機能を実行するためのアプリケーションを識別し、当該識別したアプリケーションを起動する制御手段と、を有することを特徴とする。
また、前記着呼情報の受信時における回線接続前に、前記表示手段または音声出力手段によって前記種別情報の内容を可視または可聴表示する。
また、前記テレビ電話機能を実行するためのアプリケーションは、前記電話機能を実行するためのアプリケーションと異なることを特徴とする。
また、前記制御手段は、操作手段が操作されて、前記呼出に応答する際に、前記識別したアプリケーションを起動することを特徴とする。
【手続補正５】
【補正対象書類名】明細書
【補正対象項目名】０００７
【補正方法】変更
【補正の内容】
【０００７】
そして、この携帯通信端末によれば、着脱式画像撮影アダプタを装着することによりテレビ電話機能が付加された状態にて、着信時に、着呼情報のヘッダとして付加された種別情報に対応したアプリケーションが制御手段によって起動されるので、種別に応じてモードの機能を起動させるような操作を不要とすることができる。
これにより、画像通信を行うテレビ電話システムにおける操作の円滑化を図ることができ、利用者による操作の手間を大幅に軽減することができる。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明にかかる携帯通信端末によれば、着信時に、着呼情報のヘッダとして付加された種別情報に対応したアプリケーションが制御手段によって起動されるので、種別に応じてモードの機能を起動させるような操作を不要とすることができる。
これにより、画像通信を行うテレビ電話システムにおける操作の円滑化を図ることができ、利用者による操作の手間を大幅に軽減することができる。